(57)【要約】【課題】  画像データに対してパターンマッチングによる拡大スムージング処理を行う画像処理装置において、ラインメモリを減少させるとともに、拡大倍率に関らず拡大スムージング処理にかかる時間を一定にし、画質の劣化を防止することができる画像処理装置を提供すること。【解決手段】  本発明の画像処理装置１は、入力パターン画像に拡大スムージング処理を行った際に付加すべき出力パターン画像を入力パターン画像に対応付けて２の自然数乗倍及びそれ以外の自然数倍を含む拡大倍率毎に記憶する記憶手段２０、２１と、入力パターン画像を記憶手段２０から検索する検索手段２２と、該手段２２により検出した入力パターン画像に対応する出力パターン画像を拡大倍率に基づいて記憶手段２１から読み出して出力する拡大スムージング処理手段２３と、を備える。【選択図】      図２
2006173992.tif 000002
【特許請求の範囲】
【請求項１】
画像データを取得する取得手段と、前記画像データに対する拡大倍率を設定する設定手段と、入力パターン画像に拡大スムージング処理を行った際に付加すべき出力パターン画像を前記入力パターン画像に対応付けて２の自然数乗倍及びそれ以外の自然数倍を含む拡大倍率毎に記憶する記憶手段と、取得した前記画像データに含まれる入力パターン画像を前記記憶手段から検索する検索手段と、該手段により検出した入力パターン画像に対応する出力パターン画像を前記設定手段により設定した拡大倍率に基づいて前記記憶手段から読み出して出力する拡大スムージング処理手段と、を備えることを特徴とする画像処理装置。
【請求項２】
前記記憶手段は、主走査方向と副走査方向との拡大倍率が等しい前記出力パターン画像を記憶し、
前記設定手段は、前記取得手段が取得した画像データに対する主走査方向と副走査方向の拡大倍率を個別に設定し、
前記拡大スムージング処理手段は、前記設定手段が設定した主走査方向と副走査方向の拡大倍率が異なる場合に、前記検索手段により検出した入力パターン画像に対応する出力パターン画像を前記設定手段により設定した大きい方の拡大倍率に基づいて前記記憶手段から読み出すとともに、読み出した出力パターン画像に対して小さい方の拡大倍率が設定された方向に該拡大倍率となるように画素データの間引き処理を行って出力することを特徴とする請求項１記載の画像処理装置。
【発明の詳細な説明】
【技術分野】
【０００１】
本発明は、画像処理装置に関し、詳しくは、画像データに対してパターンマッチングによる拡大スムージング処理を行う画像処理装置に関する。
【背景技術】
【０００２】
画像データを拡大した場合、画像に段差が生じる。図７は、画像データに含まれるパターン画像に対する拡大処理の一例を示したものであり、白抜きの正方形は白画素、黒塗りの正方形は黒画素を示している。図示するように、例えば、画像データに含まれるパターン画像ａを主走査方向及び副走査方向に２倍すると、パターン画像ｂが得られる。このパターン画像ｂから明らかなように、図中の破線ｃで示す部分に段差が生じている。このように、画像データを拡大した際に生じる段差部分（ジャギ−）を滑らかにする方法の一つに、パターンマッチングによる拡大スムージング処理がある（例えば、特許文献１参照）。
【０００３】
特許文献１に開示されているような画像処理装置は、図７に示すように、２倍の拡大処理を行った場合に段差が生じるパターン画像（以下、「入力パターン画像」という。）と、入力パターン画像に２倍の拡大スムージング処理を行った際に付加すべき出力パターン画像とを対応付けて予め記憶している。そして、２倍の拡大処理を行う画像データの中に、予め記憶している入力パターン画像が含まれている場合、それに対応する出力パターン画像を読み出して２倍の拡大処理を行ったパターン画像ｂに付加することにより、２倍の拡大スムージング処理を行ったパターン画像ｄを得ている。なお、図７に示す各パターン画像中の白線又は黒線で囲まれた領域は、各パターン画像に付加すべき理想的な出力パターンの形状を示したものである。
【０００４】
また、２の自然数乗倍以外の自然数倍の拡大スムージング処理を行う場合、２倍の拡大スムージング処理を１又は複数回行った後、画素データの間引き処理又は１．Ｘ倍の拡大処理を行っている。例えば、画像データを３倍に拡大する場合、図７に示すように、２倍の拡大スムージング処理を行ったパターン画像ｄに１．５倍の拡大処理を行ってパターン画像ｅ又はパターン画像ｆを得ている。なお、１個の２倍拡大回路に画像データを複数回入力して２、４、８倍等の２の自然数乗倍の拡大スムージング処理を行うことも可能であるが、一般的には、２倍拡大回路を複数段設けて２の自然数乗倍の拡大スムージング処理を行っている。
【特許文献１】特開２００１−１１１８２０号公報
【発明の開示】
【発明が解決しようとする課題】
【０００５】
しかしながら、２倍拡大回路を複数段設けた場合、各２倍拡大回路毎にラインメモリが必要であるため、回路規模が大きくなり装置コストが上昇するという問題点があった。
【０００６】
また、処理すべき画像データは、拡大処理が行われる回数だけラインメモリに蓄積されることになるため、拡大スムージング処理後の画像データが出力されるタイミングが拡大すべき倍率によって変化し、拡大スムージング処理後の処理が複雑になるという問題点があった。例えば、出力タイミングに応じたトップマージンの調整処理が必要になる場合がある。
【０００７】
更にまた、２の自然数乗倍以外の自然数倍拡大を行う場合、２の自然数乗倍の拡大スムージング処理を行った画像データに対して１．Ｘ倍拡大処理又は補間処理を行うため、図７のパターン画像ｅ及びパターン画像ｆに示したように、段差部分が滑らかにならず、画質が劣化するという問題点があった。
【０００８】
本発明は、以上のような問題点に鑑みてなされたものであり、画像データに対してパターンマッチングによる拡大スムージング処理を行う画像処理装置において、ラインメモリを減少させるとともに、拡大倍率に関らず拡大スムージング処理にかかる時間を一定にし、更に、画質の劣化を防止することができる画像処理装置を提供することを目的とする。
【課題を解決するための手段】
【０００９】
上記目的を達成するために、請求項１記載の画像処理装置は、画像データを取得する取得手段と、前記画像データに対する拡大倍率を設定する設定手段と、入力パターン画像に拡大スムージング処理を行った際に付加すべき出力パターン画像を前記入力パターン画像に対応付けて２の自然数乗倍及びそれ以外の自然数倍を含む拡大倍率毎に記憶する記憶手段と、取得した前記画像データに含まれる入力パターン画像を前記記憶手段から検索する検索手段と、該手段により検出した入力パターン画像に対応する出力パターン画像を前記設定手段により設定した拡大倍率に基づいて前記記憶手段から読み出して出力する拡大スムージング処理手段と、を備えることを特徴としている。
【００１０】
請求項２記載の画像処理装置は、請求項１記載の画像処理装置において、前記記憶手段は、主走査方向と副走査方向との拡大倍率が等しい前記出力パターン画像を記憶し、前記設定手段は、前記取得手段が取得した画像データに対する主走査方向と副走査方向の拡大倍率を個別に設定し、前記拡大スムージング処理手段は、前記設定手段が設定した主走査方向と副走査方向の拡大倍率が異なる場合に、前記検索手段により検出した入力パターン画像に対応する出力パターン画像を前記設定手段により設定した大きい方の拡大倍率に基づいて前記記憶手段から読み出すとともに、読み出した出力パターン画像に対して小さい方の拡大倍率が設定された方向に該拡大倍率となるように画素データの間引き処理を行って出力することを特徴としている。
【発明の効果】
【００１１】
請求項１記載の画像処理装置によれば、入力パターン画像と出力パターン画像とを対応付けて２の自然数乗倍（例えば、２、４、８倍等）及びそれ以外の自然数倍（例えば、３、５、６、７倍等）を含む拡大倍率毎に記憶しているので、必要な拡大倍率に応じた拡大スムージング処理後のパターン画像を１回の処理で得ることができる。これにより、従来のように２倍拡大回路とラインメモリを複数段設ける必要がないので、装置コストの上昇を抑えることができる。また、処理すべき画像データをラインメモリに蓄積する処理を拡大倍率に関らず１度しか行わないので、拡大スムージング処理にかかる時間を一定にすることができる。更に、１．Ｘ倍の拡大処理を行う必要がないので、画質の劣化を防止することができる。
【００１２】
請求項２記載の画像処理装置によれば、主走査方向と副走査方向の拡大倍率が異なる（例えば、主走査方向３倍、副走査方向６倍）出力パターン画像を記憶することなく、主走査方向と副走査方向の拡大倍率が異なる拡大スムージング処理後のパターン画像を得ることができる。これにより、記憶する出力パターン画像の数を減少することができる。
【発明を実施するための最良の形態】
【００１３】
以下、本発明の実施形態に係る画像処理装置を図面に基づいて説明する。この画像処理装置１は、図１に例示するように、制御部（ＭＰＵ：Microprocessing Unit）２、ＲＯＭ（Read Only Memory）３、ＲＡＭ（Random Access Memory）４、原稿読取部５、コーデック６、符号メモリ７、拡大処理部８、記録部９、操作部１０、表示部１１、及び通信部１２を備えたものであって、各部２乃至１２はバス１３によって通信可能に接続されている。
【００１４】
制御部２は、ＲＯＭ３に格納された制御プログラムに従って、この画像処理装置１を構成する各部を制御する。ＲＡＭ４は、制御部２の主メモリ、ワークエリア等として機能し、各種の設定情報等を記憶している。原稿読取部５は、原稿の画像データを読取って所定の出力先に出力するものであり、図示しないが、ＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００１５】
コーデック６は、画像データを符号化（エンコード）・復号（デコード）するものである。ここでは、原稿読取部５から出力された画像データをＭＨ（Modified Huffman）、ＭＲ（Modified Read）、ＭＭＲ（Modified Modified Read）、ＪＢＩＧ（Joint Bi-level Image Group）方式等により符号化し、符号化された画像データを復号する。符号メモリ７は、コーデック６によって符号化された画像データやファクシミリ受信した画像データ等を蓄積するものである。
【００１６】
拡大処理部８は、画像データに対して単純拡大処理及びパターンマッチングによる拡大スムージング処理を行うものである。この拡大処理部８で拡大処理が行われた画像データは、ページメモリ１４に蓄積される。記録部９は、ページメモリ１４から読み出された画像データの画像を用紙に記録するものである。この記録部９における記録方式としては、例えば、電子写真方式やインクジェット記録方式等の各種の記録方式を用いることができる。
【００１７】
操作部１０は、図示しないが、原稿読取部５に原稿の読取開始を指示するためのスタートキー、ファクシミリ番号や原稿の画像データに対する拡大倍率等を入力するためのテンキー、各種設定を行うためのカーソルキーなど、表示部１１と連動した各種操作キーを備えている。表示部１１は、図示しないが、各種の設定状態や画像処理装置１の動作状態などを文字や図形などで表示する液晶表示装置（ＬＣＤ：Liquid Crystal Display）、点灯又は消灯で表示するＬＥＤランプなどを備えている。なお、液晶表示装置は、いわゆるタッチパネル式のものであり、操作部１０に代えてこの液晶表示装置の画面をユーザが指等で触れることにより、拡大倍率の入力等、各種の操作を行うこともできる。
【００１８】
通信部１２は、モデム１５及びＮＣＵ（Network Control Unit）１６を備える。モデム１５は、例えばＩＴＵ−Ｔ（国際電気通信連合電気通信標準化部門）の勧告Ｖ．３０規格又はこれと同様のものに従った送受信データの変調及び復調を行うものである。ＮＣＵ１６は、電話回線を制御して電話をかけたり、切ったりする回線網制御装置であり、ＰＳＴＮ（Public Switched Telephone Network）１７に接続されている。制御部２は、この通信部１２を制御して画像データをファクシミリ送受信する。
【００１９】
上記構成を備えた画像処理装置１は、原稿読取部５で原稿から読取った画像データの画像を用紙に記録するコピー機能、外部装置（不図示）との間で画像データを通信部１２を介してファクシミリ送受信するファクシミリ通信機能を備えるとともに、原稿読取部５で読取った原稿の画像データ、通信部１２を介してファクシミリ受信した画像データ等に対してパターンマッチングによる拡大スムージング処理を行う機能を備える。以下、本実施形態に係る画像処理装置１において行われるパターンマッチングによる拡大スムージング処理について説明する。
【００２０】
制御部２は、原稿読取部５で読取った原稿の画像データ、又は、通信部１２を介してファクシミリ受信した画像データ等を取得した場合、まず、画像データに対する拡大倍率を決定し、決定した拡大倍率を拡大処理部８に設定する。すなわち、拡大処理部８のレジスタ（不図示）に制御部２が決定した拡大倍率が記憶される。原稿読取部５で読取った原稿の画像データの画像を用紙に記録する場合には、ユーザが操作部１０又は表示部１１から入力した拡大倍率、原稿の画像データの解像度、及び記録部９の解像度（記録密度）に基づいて、拡大倍率を設定する。例えば、原稿の画像データの解像度と記録部９の解像度が同じであり、ユーザが拡大倍率として２倍を入力した場合、主走査方向、副走査方向ともに拡大倍率を２倍に設定する。また、例えば、ユーザが拡大倍率を入力せず、原稿の画像データが２００（主走査方向）×２００（副走査方向）dpiであり、記録部９の解像度が６００×６００dpiである場合、拡大倍率を主走査方向、副走査方向ともに３倍に設定する。一方、通信部１２を介してファクシミリ受信した画像データの画像を用紙に記録する場合、画像データの解像度及び記録部９の解像度に基づいて、拡大倍率を設定する。例えば、画像データの解像度が２００×１００dpiであり、記録部９の解像度が６００×６００dpiである場合には、主走査方向の拡大倍率を３倍、副走査方向の拡大倍率を６倍に設定する。このように、画像データに対する主走査方向と副走査方向の拡大倍率を個別に設定することも可能である。
【００２１】
制御部２が拡大倍率を設定すると、拡大処理部８は、パターンマッチングによる拡大スムージング処理を行う。ここで、原稿読取部５で読取られて符号メモリ７に蓄積された画像データ、又はファクシミリ受信して符号メモリ７に蓄積された画像データは、コーデック６により復号され、この復号された画像データに対して拡大処理部８はスムージング処理を行う。図２は、拡大処理部８の構成例を示した図である。図示するように、拡大処理部８は、ラインメモリ１８、メモリＩ/Ｆ回路１９、マッチングパターンメモリ２０、出力パターンメモリ２１、マッチング回路２２、及び出力選択回路２３を備える。
【００２２】
ラインメモリ１８は、画像データを所定ライン（主走査ライン）分蓄積するものであり、ここでは、３ライン分の画像データを蓄積する。メモリＩ／Ｆ回路１９は、画像データのＤＭＡ転送（Direct Memory Access Transfer）を行うものである。具体的には、コーデック６により復号された画像データをラインメモリ１８にＤＭＡ転送する処理や、ラインメモリ１８上で注目画素を含むＭ×Ｎ画素（主走査方向にＭ画素、副走査方向にＮ画素）の検索領域を設定するとともに、設定した検索領域のＭ×Ｎ画素の画像データ、すなわち、画像データに含まれる入力パターン画像をラインメモリ１８から読み出してマッチング回路２２へＤＭＡ転送する処理を行う。
【００２３】
例えば、図３（ａ）に示すように、ラインメモリ１８に蓄積された３ライン分の画像データに対して、注目画素を中心とする３画素×３画素の検索領域２４を設定し、設定した検索領域２４内の入力パターン画像をラインメモリ１８から読み出して、マッチング回路２２へ転送する。ここで、メモリＩ／Ｆ回路１９は、設定した検索領域２４内の入力パターン画像を転送し終えると、図３（ｂ）に示すように、検索領域２４を主走査方向の矢符Ａの方向に移動して新たな検索領域２４を設定し、検索領域２４内の入力パターン画像をマッチング回路２２へ転送する。このように、メモリＩ／Ｆ回路１９は、検索領域２４を主走査方向の矢符Ａの方向に順次移動して設定し、検索領域２４内の入力パターン画像をマッチング回路２２へ転送する。
【００２４】
また、メモリＩ／Ｆ回路１９は、ラインメモリ１８に蓄積された全ての画像データをマッチング回路２２に転送し終えると、図３（ｃ）に示すように、ラインメモリ１８から先に蓄積された１ライン分の画像データをＦＩＦＯ方式で読み出した後、新たな１ライン分の画像データをラインメモリ１８に転送する。そして、新たな３ライン分の画像データに検索領域２４を設定して、検索領域２４内の入力パターン画像をマッチング回路２２に転送する。
【００２５】
マッチングパターンメモリ２０は、入力パターン画像を記憶するものである。出力パターンメモリ２１は、出力パターン画像を記憶するものである。図４は、マッチングパターンメモリ２０が記憶する入力パターン画像及び出力パターンメモリ２１が記憶する出力パターン画像の一例を示した図であり、白抜きの正方形は白画素、黒塗りの正方形は黒画素を示している。入力パターン画像は、単純拡大処理を行った場合に段差が生じるパターン画像である。出力パターン画像は、入力パターン画像に拡大スムージング処理を行った際に付加すべきパターン画像である。この入力パターン画像及び出力パターン画像は、例えば対応するパターン画像どうしに同一番号が付されて対応付けられている。マッチングパターンメモリ２０は、複数の入力パターン画像を記憶しており、また、出力パターンメモリ２１は、マッチングパターンメモリ２０が記憶する複数の入力パターン画像と対応付けられた出力パターン画像を２の自然数乗倍（２、４倍等）及びそれ以外の自然数倍（３、５、６倍等）を含む拡大倍率毎に記憶している。すなわち、マッチングパターンメモリ２０及び出力パターンメモリ２１は、入力パターン画像に拡大スムージング処理を行った際に付加すべき出力パターン画像を入力パターン画像に対応付けて２の自然数乗倍及びそれ以外の自然数倍を含む拡大倍率毎に記憶するものである。本実施形態においては、出力パターンメモリ２１は、主走査方向と副走査方向との拡大倍率が等しい出力パターン画像を記憶している。なお、図４に示す入力パターン画像中の白線又は黒線で囲まれた領域は、入力パターン画像を拡大した場合に付加すべき理想的な出力パターンの形状を示している。また、出力パターン画像中の白線又は黒線で囲まれた領域は、入力パターン画像中の白線又は黒線で囲まれた領域の画素を拡大した部分に付加すべき理想的な出力パターンの形状を示している。
【００２６】
マッチング回路２２は、ラインメモリ１８に蓄積された画像データに含まれる入力パターン画像をマッチングパターンメモリ２０から検索するものである。具体的には、メモリＩ／Ｆ回路１９により転送された入力パターン画像とマッチングパターンメモリ２０が記憶する複数の入力パターン画像とを順次比較して、メモリＩ／Ｆ回路１９により転送された入力パターン画像に一致する入力パターン画像をマッチングパターンメモリ２０から検索する。
【００２７】
例えば、メモリＩ／Ｆ回路１９により図５に示す入力パターン画像２５が転送されてきた場合、入力パターン画像２５とマッチングパターンメモリ２０が記憶する入力パターン画像（図４参照）を順次比較すると、入力パターン画像２５とマッチングパターンメモリ２０が記憶する入力パターン画像２６が一致するので、入力パターン画像２６を検出することができる。なお、マッチングパターンメモリ２０が記憶する入力パターン画像の中には、メモリＩ／Ｆ回路１９により転送される入力パターン画像の画素数（３×３画素）と一致しないパターン画像があるが、メモリＩ／Ｆ回路１９により転送される入力パターン画像と比較して欠けている部分の画素は、白画素又は黒画素のどちらでもよい任意の画素である。
【００２８】
マッチング回路２２は、入力パターン画像をマッチングパターンメモリ２０から検出した場合、すなわち、メモリＩ／Ｆ回路１９により転送された入力パターン画像とマッチングパターンメモリ２０が記憶する入力パターン画像が一致した場合には、その入力パターン画像の情報（例えば、入力パターン画像に付された番号）を出力選択回路２３に出力する。
【００２９】
出力選択回路２３は、マッチング回路２２が検出した入力パターン画像に対応する出力パターン画像を制御部２が設定した拡大倍率に基づいて出力パターンメモリ２１から読み出してページメモリ１４に出力するものである。すなわち、マッチング回路２２から出力されたパターン情報と拡大倍率とに基づいて出力パターンメモリ２１から出力パターン画像を読み出してページメモリ１４に出力する。
【００３０】
例えば、入力パターン画像２６の情報がマッチング回路２２から出力され、制御部２が設定した拡大倍率が３倍であれば、図４及び図５に示すように、入力パターン画像２６に対応付けられた３倍出力パターン画像２７を出力パターンメモリ２１から読み出してページメモリ１４に出力する。
【００３１】
このように、図５に示す入力パターン画像２５に３倍の拡大スムージング処理を行った場合、拡大処理部８により主走査方向及び副走査方向に単純に３倍拡大されたパターン画像２８に３倍出力パターン画像２７が付加されたパターン画像２９が生成される。このパターン画像２９は、図７に示したパターン画像ｅ及びパターン画像ｆのように１．Ｘ倍拡大処理が行われていないため、画質の劣化が生じておらず、単純拡大処理によって生じる段差が滑らかになっている。また、拡大処理部８は、拡大倍率が設定された後、制御部２を介在することなく、パターンマッチングによる拡大スムージング処理を行ってページメモリ１４に出力するので、高速処理が可能である。
【００３２】
ところで、ここまでは、画像データに対する主走査方向と副走査方向の拡大倍率が等しい場合について説明したが、制御部２が設定した主走査方向と副走査方向の拡大倍率が異なっている場合には、出力選択回路２３は、大きい方の拡大倍率の出力パターン画像を出力パターンメモリ２１から読み出すとともに、読み出した出力パターン画像に対して小さい方の拡大倍率が設定された方向に該拡大倍率となるように画素データの間引き処理を行う。例えば、制御部２が設定した主走査方向の拡大倍率が６倍であり、副走査方向の拡大倍率が３倍である場合には、６倍（大きい方の拡大倍率）出力パターン画像を出力パターンメモリ２１から読み出す。そして、読み出した６倍出力パターン画像に対して小さい方の拡大倍率が設定された方向、すなわち、ここでは副走査方向に該拡大倍率となるように画素データの間引き処理を行って出力する。
【００３３】
例えば、図４及び図６に示すように、マッチング回路２２がマッチングパターンメモリ２０から入力パターン画像３０を検出し、制御部２が設定した主走査方向の拡大倍率が６倍であり、副走査方向の拡大倍率が３倍であった場合には、６倍出力パターン画像３１を読み出す。そして、読み出した６倍出力パターン画像３１に対して副走査方向に拡大倍率が３倍となるように、すなわち、５０パーセントの画素データの間引き処理を行って、パターン画像３２を出力する。これにより、主走査方向と副走査方向の拡大倍率が異なる出力パターン画像を記憶することなく、主走査方向と副走査方向の拡大倍率が異なる拡大スムージング処理後のパターン画像を得ることができる。
【００３４】
以上説明したように、本発明の画像処理装置１によれば、必要な拡大倍率に応じた拡大スムージング処理後のパターン画像を１回の処理で得ることができる。これにより、従来のように２倍拡大回路やラインメモリを複数段設ける必要がないので、装置コストの上昇を抑えることができる。また、処理すべき画像データをラインメモリに蓄積する処理を拡大倍率に関らず１度しか行わないので、拡大スムージング処理にかかる時間を一定にすることができる。
【００３５】
なお、本実施形態においては、メモリＩ／Ｆ回路１９により３×３画素の入力パターン画像をマッチング回路２２に転送して入力パターン画像の検索を行うようにしたが、入力パターン画像の画素数は、これに限定されない。例えば、５×５画素の入力パターン画像をマッチングパターンメモリ２０に記憶し、マッチング回路２２に５×５画素の入力パターン画像を転送するようにして、入力パターン画像の検索を行うようにしてもよい。
また、出力パターンメモリ２１に主走査方向と副走査方向の拡大倍率が異なる出力パターン画像を追加して記憶してもよい。これにより、主走査方向と副走査方向との拡大倍率が異なる場合にも、出力パターン画像に対する間引き処理を行わずに、拡大スムージング処理後のパターン画像を得ることも可能である。例えば、図６のパターン画像３２のような、主走査方向の拡大倍率が６倍、副走査方向の拡大倍率が３倍である出力パターン画像を追加して出力パターンメモリ２１に記憶しておけば、主走査方向と副走査方向の拡大倍率が等しい６倍出力パターン画像３１に間引き処理を行わずに、主走査方向の拡大倍率が６倍で、副走査方向の拡大倍率が３倍であるパターン画像を得ることができる。
【００３６】
また、本実施形態で示した画像処理装置１の構成は、本発明に係る画像処理装置の一態様にすぎず、本発明の要旨を逸脱しない範囲内で適宜設計変更できることは勿論であり、画像データにパターンマッチングによる拡大スムージング処理を行う機能を備えた装置であれば、例えば、スキャナやコピー機としても実現可能である。
【産業上の利用可能性】
【００３７】
本発明は、例えば、パターンマッチングによる拡大スムージング処理を行う画像処理装置に適用することができる。
【図面の簡単な説明】
【００３８】
【図１】本発明の実施形態に係る画像処理装置の構成例を示したブロック図である。
【図２】画像処理部の構成例を示した図である。
【図３】入力パターン画像を転送する処理を説明するための図である。
【図４】入力パターン画像及び出力パターンの一例を概略的に示した図である。
【図５】画像データに含まれるパターン画像に対する３倍の拡大スムージング処理の一例を示した図である。
【図６】出力パターン画像に対する間引き処理を説明するための図である。
【図７】画像データに含まれるパターン画像に対する拡大処理の一例を示した図である。
【符号の説明】
【００３９】
１    画像処理装置
２    制御部
３    ＲＯＭ
４    ＲＡＭ
５    原稿読取部
８    拡大処理部
１２    通信部
２０    マッチングパターンメモリ
２１    出力パターンメモリ
２２    マッチング回路
２３    出力選択回路
【図１】
2006173992.tif 000003
【図２】
2006173992.tif 000004
【図３】
2006173992.tif 000005
【図４】
2006173992.tif 000006
【図５】
2006173992.tif 000007
【図６】
2006173992.tif 000008
【図７】
2006173992.tif 000009